【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
ユーザの行動履歴に基づいて、ユーザのそのときの気分を推定する気分推定手段（４０、Ｓ２）と、
この気分推定手段が推定した気分を、提案する行動の選択条件として用いてユーザに提案する行動を決定する提案決定手段（４０、Ｓ３−Ｓ４）と、
前記提案決定手段が決定した行動を表示する表示部（２０）とを含み、
前記気分推定手段は、ユーザの気分として、精神的負荷の高低を推定するものであって、精神的負荷が高くなる場所に設定されている場所における滞在時間が基準滞在時間よりも所定時間以上長かった日の継続日数または頻度が判定値以上になったことに基づいて、ユーザの精神的負荷が高いと推定することを特徴とする行動提案装置。
【請求項２】
ユーザの行動履歴に基づいて、ユーザのそのときの気分を推定する気分推定手段（４０、Ｓ２）と、
この気分推定手段が推定した気分を、提案する行動の選択条件として用いてユーザに提案する行動を決定する提案決定手段（４０、Ｓ３−Ｓ４）と、
前記提案決定手段が決定した行動を表示する表示部（２０）とを含み、
前記気分推定手段は、ユーザの気分として、精神的負荷の高低を推定するものであって、精神的負荷が高くなる場所に設定されている場所における滞在時間が基準滞在時間よりも所定時間以上短かった日の継続日数または頻度が判定値以上となったことに基づいて、ユーザの精神的負荷が低いと推定することを特徴とする行動提案装置。
【請求項３】
ユーザの行動履歴に基づいて、ユーザのそのときの気分を推定する気分推定手段（４０、Ｓ２）と、
この気分推定手段が推定した気分を、提案する行動の選択条件として用いてユーザに提案する行動を決定する提案決定手段（４０、Ｓ３−Ｓ４）と、
前記提案決定手段が決定した行動を表示する表示部（２０）とを含み、
前記気分推定手段は、ユーザの気分として、精神的負荷の高低を推定するものであって、精神的負荷が高くなる場所に設定されている場所の訪問頻度が、その訪問頻度に対して設定された判定値以上となったことに基づいて、ユーザの精神的負荷が高いと推定することを特徴とする行動提案装置。
【請求項４】
ユーザの行動履歴に基づいて、ユーザのそのときの気分を推定する気分推定手段（４０、Ｓ２）と、
この気分推定手段が推定した気分を、提案する行動の選択条件として用いてユーザに提案する行動を決定する提案決定手段（４０、Ｓ３−Ｓ４）と、
前記提案決定手段が決定した行動を表示する表示部（２０）とを含み、
前記気分推定手段は、ユーザの気分として、精神的負荷の高低を推定するものであって、同じ日に立ち寄った施設の数が判定施設数以上となったことに基づいて、ユーザの精神的負荷が高いと推定することを特徴とする行動提案装置。
【請求項５】
ユーザの行動履歴に基づいて、ユーザのそのときの気分を推定する気分推定手段（４０、Ｓ２）と、
この気分推定手段が推定した気分を、提案する行動の選択条件として用いてユーザに提案する行動を決定する提案決定手段（４０、Ｓ３−Ｓ４）と、
前記提案決定手段が決定した行動を表示する表示部（２０）とを含み、
前記気分推定手段は、ユーザの気分として、精神的負荷の高低を推定するものであって、精神的負荷が高くなる場所に設定されている場所における滞在時間が基準滞在時間よりも所定時間以上長かった日が継続した後、同じ場所における滞在時間が、前記基準滞在時間よりも所定時間以上短い滞在となったことに基づいて、ユーザの精神的負荷が低いと推定することを特徴とする行動提案装置。
【請求項６】
ユーザの行動履歴に基づいて、ユーザのそのときの気分を推定する気分推定手段（４０、Ｓ２）と、
この気分推定手段が推定した気分を、提案する行動の選択条件として用いてユーザに提案する行動を決定する提案決定手段（４０、Ｓ３−Ｓ４）と、
前記提案決定手段が決定した行動を表示する表示部（２０）とを含み、
前記気分推定手段は、ユーザの気分として、精神的負荷の高低を推定するものであり、
前記提案決定手段は、前記気分推定手段が、精神的負荷が高いと推定したことに基づいて、精神的負荷を低くするために行く施設として設定されている負荷低下施設へ行く行動を、提案する行動に決定することを特徴とする行動提案装置。
【請求項７】
ユーザの行動履歴に基づいて、ユーザのそのときの気分を推定する気分推定手段（４０、Ｓ２）と、
この気分推定手段が推定した気分を、提案する行動の選択条件として用いてユーザに提案する行動を決定する提案決定手段（４０、Ｓ３−Ｓ４）と、
前記提案決定手段が決定した行動を表示する表示部（２０）とを含み、
前記気分推定手段は、ユーザの気分として、精神的負荷の高低を推定するものであり、
前記提案決定手段は、前記気分推定手段が、精神的負荷が低いと推定したことに基づいて、精神的負荷を高くするために行く施設として設定されている負荷増加施設へ行く行動を、提案する行動に決定することを特徴とする行動提案装置。
【請求項８】
ユーザの行動履歴に基づいて、ユーザのそのときの気分を推定する気分推定手段（４０、Ｓ２）と、
この気分推定手段が推定した気分を、提案する行動の選択条件として用いてユーザに提案する行動を決定する提案決定手段（４０、Ｓ３−Ｓ４）と、
前記提案決定手段が決定した行動を表示する表示部（２０）とを含み、
前記気分推定手段は、ユーザの気分として、精神的負荷の高低を推定するものであり、
精神的負荷が高くなった後にユーザが精神的負荷を低くするために行く施設として設定されている負荷低下施設へユーザが行ったと判定したことに基づいて、その負荷低下施設へ行く前にユーザが滞在していた施設は、精神的負荷が高くなる施設であるとの学習を行う負荷学習手段（４０、Ｓ１００）を備えることを特徴とする行動提案装置。
【請求項９】
ユーザの行動履歴に基づいて、ユーザのそのときの気分を推定する気分推定手段（４０、Ｓ２）と、
この気分推定手段が推定した気分を、提案する行動の選択条件として用いてユーザに提案する行動を決定する提案決定手段（４０、Ｓ３−Ｓ４）と、
前記提案決定手段が決定した行動を表示する表示部（２０）とを含み、
前記気分推定手段は、ユーザの気分として、精神的負荷の高低を推定するものであり、
前記気分推定手段が精神的負荷が高いと推定したことに基づいて前記提案決定手段が決定した行動が、精神的負荷を低くするために行く施設として設定されている負荷低下施設へ行く行動であり、この行動を前記表示部に表示したが、ユーザは、表示部に表示した施設とは異なる施設に行った場合、ユーザが行った施設を、このユーザについての負荷低下施設であるとの学習を行う施設目的学習手段（４０、Ｓ１２０）を備えることを特徴とする行動提案装置。
【請求項１０】
請求項１〜９のいずれか１項において、
ユーザの行動履歴を記憶する記憶部（１０）と、
ユーザの行動を示す情報を取得して、前記記憶部に記憶された行動履歴を逐次更新する履歴更新手段（４０、Ｓ１）とを備え、
前記気分推定手段は、前記記憶部に記憶されている行動履歴に基づいて、ユーザのそのときの気分を推定することを特徴とする行動提案装置。
【請求項１１】
請求項１〜１０のいずれか１項において、
前記提案決定手段は、ユーザに提案する行動を、目的地へ行く行動とすることを特徴とする行動提案装置。
【請求項１２】
請求項６において、
前記提案決定手段は、ユーザの行動履歴に基づいて、このユーザが過去一定期間内に行った前記負荷低下施設を決定し、提案する負荷低下施設を、このユーザが過去一定期間内に行っていない施設とすることを特徴とする行動提案装置。
【手続補正２】
【補正対象書類名】明細書
【補正対象項目名】００１０
【補正方法】変更
【補正の内容】
【００１０】
その目的を達成するための第１〜第９発明は、ユーザの行動履歴に基づいて、ユーザのそのときの気分を推定する気分推定手段（４０、Ｓ２）と、この気分推定手段が推定した気分を、提案する行動の選択条件として用いてユーザに提案する行動を決定する提案決定手段（４０、Ｓ３−Ｓ４）と、前記提案決定手段が決定した行動を表示する表示部（２０）とを含ことを特徴とする行動提案装置である。
また、第１発明では、気分推定手段は、ユーザの気分として、精神的負荷の高低を推定するものであって、精神的負荷が高くなる場所に設定されている場所における滞在時間が基準滞在時間よりも所定時間以上長かった日の継続日数または頻度が判定値以上になったことに基づいて、ユーザの精神的負荷が高いと推定する。
第２発明では、気分推定手段は、ユーザの気分として、精神的負荷の高低を推定するものであって、精神的負荷が高くなる場所に設定されている場所における滞在時間が基準滞在時間よりも所定時間以上短かった日の継続日数または頻度が判定値以上となったことに基づいて、ユーザの精神的負荷が低いと推定する。
第３発明では、気分推定手段は、ユーザの気分として、精神的負荷の高低を推定するものであって、精神的負荷が高くなる場所に設定されている場所の訪問頻度が、その訪問頻度に対して設定された判定値以上となったことに基づいて、ユーザの精神的負荷が高いと推定する。
第４発明では、気分推定手段は、ユーザの気分として、精神的負荷の高低を推定するものであって、同じ日に立ち寄った施設の数が判定施設数以上となったことに基づいて、ユーザの精神的負荷が高いと推定する。
第５発明では、気分推定手段は、ユーザの気分として、精神的負荷の高低を推定するものであって、精神的負荷が高くなる場所に設定されている場所における滞在時間が基準滞在時間よりも所定時間以上長かった日が継続した後、同じ場所における滞在時間が、基準滞在時間よりも所定時間以上短い滞在となったことに基づいて、ユーザの精神的負荷が低いと推定する。
第６発明では、気分推定手段は、ユーザの気分として、精神的負荷の高低を推定するものであり、提案決定手段は、気分推定手段が、精神的負荷が高いと推定したことに基づいて、精神的負荷を低くするために行く施設として設定されている負荷低下施設へ行く行動を、提案する行動に決定する。
第７発明では、気分推定手段は、ユーザの気分として、精神的負荷の高低を推定するものであり、提案決定手段は、気分推定手段が、精神的負荷が低いと推定したことに基づいて、精神的負荷を高くするために行く施設として設定されている負荷増加施設へ行く行動を、提案する行動に決定する。
第８発明では、気分推定手段は、ユーザの気分として、精神的負荷の高低を推定するものであり、精神的負荷が高くなった後にユーザが精神的負荷を低くするために行く施設として設定されている負荷低下施設へユーザが行ったと判定したことに基づいて、その負荷低下施設へ行く前にユーザが滞在していた施設は、精神的負荷が高くなる施設であるとの学習を行う負荷学習手段（４０、Ｓ１００）を備える。
第９発明では、気分推定手段は、ユーザの気分として、精神的負荷の高低を推定するものであり、気分推定手段が精神的負荷が高いと推定したことに基づいて提案決定手段が決定した行動が、精神的負荷を低くするために行く施設として設定されている負荷低下施設へ行く行動であり、この行動を表示部に表示したが、ユーザは、表示部に表示した施設とは異なる施設に行った場合、ユーザが行った施設を、このユーザについての負荷低下施設であるとの学習を行う施設目的学習手段（４０、Ｓ１２０）を備える。